【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
少なくとも２つの分離したファイバ間で電磁放射を伝送させるための装置であって、
第１の光ファイバ及び第２の光ファイバのうち、少なくとも一方が回転可能とされる、第１の光ファイバ及び第２の光ファイバと、
前記第１の光ファイバ及び前記第２の光ファイバのうちの少なくとも一方の一端部と通信する、１つ以上の第１の光学装置部と、
前記１つ以上の第１の光学装置部の位置を制御して、前記第１の光ファイバ及び前記第２の光ファイバの長手方向の軸を、少なくともそれらの端部で位置合わせするように構成された１つ以上の第２の装置部と、
前記第１の光ファイバ及び前記第２の光ファイバのうちの少なくとも一方を、毎秒１００回転より大きな速度で回転するように構成された１つ以上の第３の装置部と、を備える装置。
【請求項２】
少なくとも２つの分離したファイバ間で電磁放射を伝送させるための装置であって、
第１の光ファイバ及び第２の光ファイバのうち、少なくとも一方が回転可能とされる、第１の光ファイバ及び第２の光ファイバと、
前記第１の光ファイバ及び前記第２の光ファイバのうちの少なくとも一方の一端部と通信する、１つ以上の第１の光学装置部と、
前記１つ以上の第１の光学装置部の位置を制御して、前記第１の光ファイバ及び前記第２の光ファイバの長手方向の軸を、少なくともそれらの端部で位置合わせするように構成された１つ以上の第２の装置部と、
前記第１の光ファイバ及び前記第２の光ファイバのうちの少なくとも一方を、回転させる、１つ以上の第３の装置部と、
前記第１の光ファイバ、前記第２の光ファイバ、及び前記１つ以上の第２の装置部のうちの少なくとも１つを、これらの長手方向の軸のうちの少なくとも１つにほぼ沿って平行移動させるように構成された、１つ以上の並進装置と、を備える装置。
【請求項３】
並進速度が毎秒約１ｍｍよりも大きい、請求項２に記載の装置。
【請求項４】
前記第３の装置部はその内部に、前記第１の光ファイバ及び前記第２の光ファイバのうちの少なくとも一方を位置付ける、請求項１に記載の装置。
【請求項５】
前記第３の装置部は前記速度を検出するように構成されたエンコーダを含む、請求項１に記載の装置。
【請求項６】
前記第３の装置部は直流モータ又はステッピングモータの少なくとも一つを含む、請求項４に記載の装置。
【請求項７】
少なくとも２つの分離したファイバ間で電磁放射を伝送させるための装置であって、
第１の光ファイバ及び第２の光ファイバのうち、少なくとも一方が回転可能とされる、第１の光ファイバ及び第２の光ファイバと、
前記第１の光ファイバ及び前記第２の光ファイバのうちの少なくとも一方の一端部と通信する、１つ以上の第１の光学装置部と、
前記１つ以上の第１の光学装置部の位置を制御して、前記第１の光ファイバ及び前記第２の光ファイバの長手方向の軸を、少なくともそれらの端部で位置合わせするように構成された１つ以上の第２の装置部と、
前記第１の光ファイバ及び前記第２の光ファイバのうちの少なくとも一方を、回転させる、１つ以上の第３の装置部と、を備える装置であって、
前記１つ以上の第２の装置部は、第１のコリメータレンズ及び第２のコリメータレンズを含み、前記第１のコリメータレンズ及び前記第２のコリメータレンズのうちの少なくとも一方の焦点距離と、これに対応する前記第１の光ファイバ及び前記第２の光ファイバのうちの少なくとも一方の開口数との数値積が、約５０μｍと２０００μｍとの間であり、前記数値積が、前記第１の光ファイバまたは前記第２の光ファイバのうちの少なくとも一方の直径より大きい、装置。
【請求項８】
前記第１の光ファイバと前記第２の光ファイバとの間の光伝送効率が約８０％よりも大きい、請求項１に記載の装置。
【請求項９】
前記装置の後方反射が略−５５ｄＢ未満である、請求項１に記載の装置。
【請求項１０】
少なくとも２つの分離したファイバ間で電磁放射を伝送させるための装置であって、
第１の光ファイバ及び第２の光ファイバのうち、少なくとも一方が回転可能とされる、第１の光ファイバ及び第２の光ファイバと、
前記第１の光ファイバ及び前記第２の光ファイバのうちの少なくとも一方の一端部と通信する、１つ以上の第１の光学装置部と、
前記１つ以上の第１の光学装置部の位置を制御して、前記第１の光ファイバ及び前記第２の光ファイバの長手方向の軸を、少なくともそれらの端部で位置合わせするように構成された１つ以上の第２の装置部と、
前記第１の光ファイバ及び前記第２の光ファイバのうちの少なくとも一方を、回転させる、１つ以上の第３の装置部と、
少なくとも１つの第１電磁放射を試料に与え、少なくとも１つの第２電磁放射を参照物に与える、１つ以上の第４の装置部であって、該装置部によって与えられる放射の周波数が時間とともに変化するようにされた、１つ以上の第４の装置部と、
前記少なくとも１つの第１電磁放射に関連する少なくとも１つの第３電磁放射と、前記少なくとも１つの第２電磁放射に関連する少なくとも１つの第４電磁放射との間の干渉を検出する、１つ以上の第５の装置部と、を備え、前記第１電磁放射及び前記第３電磁放射が、前記第１の光ファイバ及び前記第２の光ファイバのうちの少なくとも一方を介して伝送される、装置。
【請求項１１】
前記第４の装置部における時間に伴う変化が特有の反復速度を有し、前記第１の光ファイバ及び前記第２の光ファイバのうちの少なくとも一方は、前記１つ以上の第３の装置部によって、前記第４の装置部の前記特有の反復速度を２５０より大きな整数で除した速度にほぼ等しい、実質的に均一な回転速度でもって回転される、請求項１０に記載の装置。
【請求項１２】
少なくとも２つの分離したファイバ間で電磁放射を伝送させるための装置であって、
第１の光ファイバ及び第２の光ファイバのうち、少なくとも一方が回転可能とされる、第１の光ファイバ及び第２の光ファイバと、
前記第１の光ファイバ及び前記第２の光ファイバのうちの少なくとも一方の一端部と通信する、１つ以上の第１の光学装置部と、
前記１つ以上の第１の光学装置部の位置を制御して、前記第１の光ファイバ及び前記第２の光ファイバの長手方向の軸を、少なくともそれらの端部で位置合わせするように構成された１つ以上の第２の装置部と、
前記第１の光ファイバ及び前記第２の光ファイバのうちの少なくとも一方を、回転させる、１つ以上の第３の装置部と、
少なくとも１つの第１電磁放射を試料から受け取り、少なくとも１つの第２電磁放射を参照物から受け取る第４の装置部と、
前記第１電磁放射、前記第２電磁放射、及び前記第１電磁放射と前記第２電磁放射の組み合わせのうち、少なくとも１つのスペクトルを周波数成分に分離する、１つ以上のスペクトル分離装置と、
複数の検出器を含む１つ以上の第５の検出装置部であって、各検出器が１つ以上の前記周波数成分の少なくとも一部を検出可能な第５の検出装置部と、を備え、前記少なくとも１つの第１電磁放射が、前記第１の光ファイバ及び前記第２の光ファイバの少なくとも一方を介して伝送される、装置。
【請求項１３】
前記第５の検出装置部は特有の読み出し反復速度を有し、前記第１の光ファイバ及び前記第２の光ファイバの少なくとも一方は、前記１つ以上の第３の装置部によって実質的に均一な回転速度でもって回転され、該回転速度が、前記第５の検出装置部の前記特有の読み出し反復速度を２５０より大きな整数で除した速度にほぼ等しくされた、請求項１２に記載の装置。
【請求項１４】
少なくとも２つの分離したファイバ間で電磁放射を伝送させるための装置であって、
第１の光ファイバ及び第２の光ファイバのうち、少なくとも一方が回転可能とされる、第１の光ファイバ及び第２の光ファイバと、
前記第１の光ファイバ及び前記第２の光ファイバのうちの少なくとも一方の一端部と通信する、１つ以上の第１の光学装置部と、
前記１つ以上の第１の光学装置部の位置を制御して、前記第１の光ファイバ及び前記第２の光ファイバの長手方向の軸を、少なくともそれらの端部で位置合わせするように構成された１つ以上の第２の装置部と、
前記第１の光ファイバ及び前記第２の光ファイバのうちの少なくとも一方を、回転させる、１つ以上の第３の装置部と、を備える装置であって、
前記第２の光ファイバは、前記第１の光ファイバに付随し、間隙によって前記第１の光ファイバから分離され、該第２の光ファイバは、前記電磁放射のモードフィールド領域を圧縮させるように適合された第１のレンズ部分と、前記第１のレンズ部分に付随し、前記電磁放射のモードフィールド領域を拡大させるように適合された第２のレンズ部分と、を備える装置。
【請求項１５】
少なくとも２つの分離したファイバ間で電磁放射を伝送させるための装置であって、
第１の光ファイバ及び第２の光ファイバのうち、少なくとも一方が回転可能とされる、第１の光ファイバ及び第２の光ファイバと、
前記第１の光ファイバ及び前記第２の光ファイバのうちの少なくとも一方の一端部と通信する、１つ以上の第１の光学装置部と、
前記１つ以上の第１の光学装置部の位置を制御して、前記第１の光ファイバ及び前記第２の光ファイバの長手方向の軸を、少なくともそれらの端部で位置合わせするように構成された１つ以上の第２の装置部と、
前記第１の光ファイバ及び前記第２の光ファイバのうちの少なくとも一方をカテーテル装置部に接続するように構成された、１つ以上の第３の装置部と、を備え、前記１つ以上の第３の装置部は少なくともその一端部に設けられた保護具を含み、該保護具は、前記第１の光ファイバ及び前記第２の光ファイバの少なくとも一方を、前記１つ以上の第３の装置部を介して前記カテーテル装置部に接続する際に、自動的に取り外される、装置。
【請求項１６】
前記第１の光ファイバ、前記第２の光ファイバ、及び前記１つ以上の第２の装置部のうちの少なくとも１つを、これらの長手方向の軸のうちの少なくとも１つにほぼ沿って平行移動させるように構成された、１つ以上の並進装置を更に含む、請求項１５に記載の装置。
【請求項１７】
前記第１の光ファイバ及び第２の光ファイバの少なくとも一方を、毎秒１００回転よりも大きな速度で回転させるように構成された、１つ以上の第４の装置部を更に含む、請求項１５に記載の装置。
【請求項１８】
前記第４の装置部はその内部に、前記第１の光ファイバ及び第２の光ファイバのうちの少なくとも一方を位置付ける、請求項１５に記載の装置。
【請求項１９】
前記第４の装置部は前記速度を検出するように構成されたエンコーダを含む、請求項１７に記載の装置。
【請求項２０】
前記第４の装置部は直流モータ又はステッピングモータの少なくとも一つを含む、請求項１７に記載の装置。
【請求項２１】
前記少なくとも１つの第２の装置部は、第１のコリメータレンズ及び第２のコリメータレンズを含み、前記第１のコリメータレンズ及び前記第２のコリメータレンズのうちの少なくとも一方の焦点距離と、これに対応する前記第１の光ファイバ及び前記第２の光ファイバのうちの少なくとも一方の開口数との数値積が、約５０ｍｍと２０００ｍｍとの間である、請求項１５に記載の装置。
【請求項２２】
前記第１の光ファイバと前記第２の光ファイバとの間の光伝送効率が約８０％よりも大きい、請求項１５に記載の装置。
【請求項２３】
前記装置の後方反射が略−５５ｄＢ未満である、請求項１５に記載の装置。
【請求項２４】
少なくとも１つの第１電磁放射を試料に与え、少なくとも１つの第２電磁放射を参照物に与える、１つ以上の第４の装置部であって、該装置部によって与えられる放射の周波数が時間とともに変化するようにされた１つ以上の第４の装置部と、
前記少なくとも１つの第１電磁放射に関連する少なくとも１つの第３電磁放射と、前記少なくとも１つの第２電磁放射に関連する少なくとも１つの第４電磁放射との間の干渉を検出する、１つ以上の第５の装置部と、を更に備え、前記第１電磁放射及び前記第３電磁放射が、前記第１の光ファイバ及び第２の光ファイバのうちの少なくとも一方を介して伝送される、請求項１５に記載の装置。
【請求項２５】
前記第４の装置部の時間に伴う変化は特有の反復速度を有し、前記第１の光ファイバ及び前記第２の光ファイバの少なくとも一方は、前記１つ以上の第３の装置部によって、実質的に均一な回転速度で回転されるとともに、該回転速度が前記第５の装置部の前記特有の反復速度を略２５０より大きな整数で除した速度にほぼ等しくされた、請求項２４に記載の装置。
【請求項２６】
少なくとも１つの第１電磁放射を試料から受け取り、少なくとも１つの第２電磁放射を参照物から受け取る第４の装置部と、
前記第１電磁放射、前記第２電磁放射、及び前記第１電磁放射と前記第２電磁放射の組み合わせのうち、少なくとも１つのスペクトルを周波数成分に分離する、１つ以上のスペクトル分離装置と、
複数の検出器を含む１つ以上の第５の検出装置部であって、各検出器が１つ以上の前記周波数成分の少なくとも一部を検出可能な第５の検出装置部と、を更に備え、前記少なくとも１つの第１電磁放射が、前記第１の光ファイバ及び前記第２の光ファイバの少なくとも一方を介して伝送される、請求項１５に記載の装置。
【請求項２７】
前記第５の検出装置部は特有の読み出し反復速度を有し、前記第１の光ファイバ及び前記第２の光ファイバの少なくとも一方は、前記１つ以上の第３の装置部によって実質的に均一な回転速度でもって回転され、該回転速度が、前記第５の検出装置部の前記特有の読み出し反復速度を略２５０より大きな整数で除した速度にほぼ等しくされた、請求項２６に記載の装置。
【請求項２８】
前記カテーテル装置部が冠状動脈内に挿入されるようにした、請求項２７に記載の装置。
【請求項２９】
前記第２の光ファイバは、前記第１の光ファイバに付随し、間隙によって前記第１の光ファイバから分離され、該第２の光ファイバは、前記電磁放射のモードフィールド領域を圧縮させるように適合された第１のレンズ部分と、前記第１のレンズ部分に付随し、前記電磁放射のモードフィールド領域を拡大させるように適合された第２のレンズ部分とを備える、請求項１５に記載の装置。
【請求項３０】
試料の画像を形成するためのシステムであって、
電磁放射を生成する放射源と、
前記電磁放射に関連する少なくとも１つの信号を受信する第１の光ファイバ及び第２の光ファイバであって、前記第１の光ファイバ及び第２のファイバの少なくとも一方が回転可能とされたファイバと、
前記第１の光ファイバ及び前記第２の光ファイバのうちの少なくとも一方の一端部と通信する、１つ以上の第１の光学装置部と、
前記１つ以上の光学装置部の位置を制御して前記第１の光ファイバ及び前記第２の光ファイバの長手方向の軸を少なくともそれらの端部で位置合わせするように構成された、１つ以上の第２の装置部と、
前記第１の光ファイバ及び前記第２の光ファイバの少なくとも一方を、毎秒１００回転よりも大きな速度で回転させるように構成された、１つ以上の第３の装置部と、を備えるシステム。
【請求項３１】
試料の画像を形成するためのシステムであって、
電磁放射を生成する放射源と、
前記電磁放射に関連する少なくとも１つの信号を受信する第１の光ファイバ及び第２の光ファイバであって、前記第１の光ファイバ及び前記第２の光ファイバの少なくとも一方が回転可能とされたファイバと、
前記第１の光ファイバ及び前記第２の光ファイバのうちの少なくとも一方の一端部と通信する、１つ以上の第１の光学装置部と、
前記１つ以上の光学装置部の位置を制御して前記第１の光ファイバ及び前記第２の光ファイバの長手方向の軸を少なくともそれらの端部で位置合わせするように構成された、１つ以上の第２の装置部と、
前記第１の光ファイバ及び前記第２の光ファイバの少なくとも一方をカテーテル装置部に接続するための、１つ以上の第３の装置部と、を備え、前記１つ以上の第３の装置部は、少なくともその一端部に設けられた保護具を含み、該保護具は、前記第１の光ファイバ及び前記第２の光ファイバの少なくとも一方を、前記１つ以上の第３の装置部を介して前記カテーテル装置部に接続する際に、自動的に取り外されるシステム。
【請求項３２】
前記保護具は、前記第１の光ファイバ及び前記第２の光ファイバのうち少なくとも一方を、少なくとも部分的に覆う、請求項１５に記載の装置。